(57)【特許請求の範囲】
【請求項１】
凹状の襞を有する第一のメンブレンを、当該第一のメンブレンと同様な構造をなして先に据え付けられた第二のメンブレンに隣接させて据え付けるメンブレン据付装置であって、
フレームと、
前記フレームに設けられ、前記第一のメンブレンの前記襞を把持して当該メンブレンを保持する襞把持手段と、
前記フレームに設けられ、前記第一のメンブレンを所定の据付位置に位置決めする位置決め手段と、
前記フレームに設けられ、前記第二のメンブレンの前記襞に前記第一のメンブレンの前記襞を嵌合させるように当該第一のメンブレンの当該襞を押圧する襞押圧手段と、
前記フレームに設けられ、前記第一のメンブレンの平板部を引っ張って当該第一のメンブレンと前記第二のメンブレンとの前記襞の肌合わせをする平板部引張手段と、
前記フレームに設けられ、前記第一のメンブレンの前記平板部を押圧して当該第一のメンブレンの当該平板部と前記第二のメンブレンの平板部との肌合わせをする平板部押圧手段と
を備えてなることを特徴とするメンブレン据付装置。
【請求項２】
請求項１に記載のメンブレン据付装置を使用したメンブレン据付工法であって、前記第一のメンブレンの前記襞を前記襞把持手段で把持して当該メンブレンを保持し、前記位置決め手段で当該メンブレンを所定の位置に位置決めして仮止め溶接したら、前記襞押圧手段で当該メンブレンの上記襞を前記第二のメンブレンの前記襞に押し込むと共に、前記平板部引張手段で上記第一のメンブレンの前記平板部を引っ張り、当該第一のメンブレンと上記第二のメンブレンとの上記襞の肌合わせを行い、当該襞を仮止め溶接した後、前記平板部押圧手段で上記第一のメンブレンの上記平板部を押圧し、当該第一のメンブレンと上記第二のメンブレンとの前記平板部の肌合わせを行って、当該平板部を仮止め溶接することにより、当該第一のメンブレンを据え付けることを特徴とするメンブレン据付工法。
【発明の詳細な説明】
【０００１】
【発明の属する技術分野】
本発明は、ＬＮＧ地下タンクの内壁面などにメンブレンを据え付ける装置およびその装置を使用してメンブレンを据え付ける工法に関する。
【０００２】
【従来の技術】
従来、ＬＮＧ地下タンクの内壁面などにメンブレンを据え付ける場合には、端部に折曲部を形成した単位メンブレンを複数配列（横方向２枚、縦方向７枚）してエンドピース等で接続したメンブレン（メンブレンブロック）を工場で製作して現場へ搬送し、図３４に示すように、タンク１の内壁面に位置決めし、図３５に示すように、当該メンブレン２０１の折曲部２０１ｂと先に据え付けたメンブレン２０２の折曲部２０２ｂとを隣接させ、図３６に示すように、これらメンブレン２０１，２０２の上記折曲部２０１ｂ，２０２ｂを治具２１０等で固定し、当該折曲部２０１ｂ，２０２ｂの突端部（頂部）同士をへり溶接することでメンブレン２０１，２０２に襞２０３を形成している。ここで、図３４中、２はコンクリート躯体、３は側部保冷部、４はガス検知管、５は胴板、６はナックルリング、２０１ａは単位メンブレン、２０１ｅはエンドピースである。
【０００３】
なお、このへり継ぎ溶接の際、上記メンブレン２０１，２０２の寸法が異なって、前記折曲部２０１ｂ，２０２ｂの突端部同士の高さが一致しない場合には、図３７に示すように、後から据え付けるメンブレン２０１の折曲部２０１ｂの折り曲げ角度を調製することにより、上記折曲部２０１ｂ，２０２ｂの突端部の上記高さを一致させている。
【０００４】
【発明が解決しようとする課題】
前述したようなメンブレン２０１，２０２では、前述したように前記折曲部２０１ｂ，２０２ｂを据付時にへり溶接して襞２０３を形成しているため、溶接箇所が非常に多く、多大な労力を要している。
【０００５】
そこで、図３０〜３２に示すように、凹状をなす襞１０１ｂを形成した大型の単位メンブレン１０１ａを接続ピース１０１ｅ等で接続したメンブレン（メンブレンブロック）１０１を用いることが考えられている。このようなメンブレン１０１によれば、図３０に示すように、タンク１の内壁面に対して位置決めし、図３１，３２に示すように、当該メンブレン１０１と同様な構造をなして先に据え付けられたメンブレン１０２の短手方向に沿った方向（水平方向に沿った方向）の襞１０２ｂに上記メンブレン１０１の短手方向に沿った方向（水平方向に沿った方向）の襞１０１ｂを所定長（約１００ｍｍ程度）重ね合わせて嵌合し、これらメンブレン１０１，１０２の間を溶接接合するだけで済むようになる。なお、図３０中、７はメンブレンアンカ、１０１ｆはキャップ、図３１中、１０２ａは単位メンブレン、１０１ｄ，１０２ｄはアンカ部である。
【０００６】
しかしながら、上述したようなメンブレン１０１，１０２を利用するにあたっては、その製作精度誤差（０．５ｍｍ）から、上述のように襞１０１ｂ，１０２ｂを嵌合する際に、メンブレン１０２の襞１０２ｂに対してメンブレン１０１の襞１０１ｂを強く押し込む必要があるだけでなく、図３３に示すように、襞１０１ｂ，１０２ｂを嵌合した後に、メンブレン１０１の平板部１０１ｃがメンブレン１０２の平板部１０２ｃに密着せずに浮き上がってしまい、メンブレン１０１，１０２を溶接接合することができない虞がある。
【０００７】
このようなことから、本発明は、上述したような凹状をなす襞を有するメンブレンを確実に据え付けることができるメンブレン据付装置およびその装置を使用したメンブレン据付工法を提供することを目的とした。
【０００８】
【課題を解決するための手段】
前述した課題を解決するための、本発明によるメンブレン据付装置は、凹状の襞を有する第一のメンブレンを、当該第一のメンブレンと同様な構造をなして先に据え付けられた第二のメンブレンに隣接させて据え付けるメンブレン据付装置であって、フレームと、前記フレームに設けられ、前記第一のメンブレンの前記襞を把持して当該メンブレンを保持する襞把持手段と、前記フレームに設けられ、前記第一のメンブレンを所定の据付位置に位置決めする位置決め手段と、前記フレームに設けられ、前記第二のメンブレンの前記襞に前記第一のメンブレンの前記襞を嵌合させるように当該第一のメンブレンの当該襞を押圧する襞押圧手段と、前記フレームに設けられ、前記第一のメンブレンの平板部を引っ張って当該第一のメンブレンと前記第二のメンブレンとの前記襞の肌合わせをする平板部引張手段と、前記フレームに設けられ、前記第一のメンブレンの前記平板部を押圧して当該第一のメンブレンの当該平板部と前記第二のメンブレンの平板部との肌合わせをする平板部押圧手段とを備えてなることを特徴とする。
【０００９】
また、上述のメンブレン据付装置を使用した本発明によるメンブレン据付工法は、前記第一のメンブレンの前記襞を前記襞把持手段で把持して当該メンブレンを保持し、前記位置決め手段で当該メンブレンを所定の位置に位置決めして仮止め溶接したら、前記襞押圧手段で当該メンブレンの上記襞を前記第二のメンブレンの前記襞に押し込むと共に、前記平板部引張手段で上記第一のメンブレンの前記平板部を引っ張り、当該第一のメンブレンと上記第二のメンブレンとの上記襞の肌合わせを行い、当該襞を仮止め溶接した後、前記平板部押圧手段で上記第一のメンブレンの上記平板部を押圧し、当該第一のメンブレンと上記第二のメンブレンとの前記平板部の肌合わせを行って、当該平板部を仮止め溶接することにより、当該第一のメンブレンを据え付けることを特徴とする。
【００１０】
【発明の実施の形態】
本発明によるメンブレン据付装置の実施の形態を図１〜１０を用いて説明する。なお、図１は、その全体概略構造を表す平面図、図２は、図１のＩＩ−ＩＩ線断面矢視図、図３は、図１の  ＩＩＩ−ＩＩＩ  線断面矢視図、図４は、図１のＩＶ−ＩＶ線断面矢視図、図５は、図４の矢線Ｖ方向からみた側面図、図６は、図１のＶＩ−ＶＩ線断面矢視図、図７は、図６の矢線ＶＩＩ部の抽出拡大図、図８は、図１のＶＩＩＩ−ＶＩＩＩ線断面矢視図、図９は、図８の矢線ＩＸ部の抽出拡大図、図１０は、図８の矢線Ｘ方向からみた側面図である。なお、先に説明した凹状の襞を有するメンブレンやＬＮＧ地下タンクなどについては、先の説明で用いた符号と同様な符号を用いることにより、その説明を省略する。
【００１１】
図１に示すように、第一のメンブレンである前述したメンブレン１０１の表面と略等しい大きさをなすように格子状に組まれたフレーム１１の四隅には、アイプレート１２がそれぞれ設けられている。フレーム１１には、上記メンブレン１０１の襞１０１ｂを把持して当該メンブレン１０１を保持する襞把持手段である襞把持装置２０と、上記メンブレン１０１のアンカ部１０１ｄをタンク１のメンブレンアンカ７に押し付けることにより当該メンブレン１０１をタンク１の内壁面に対して所定の位置に位置決めする位置決め手段であるアンカ把持装置３０と、先に据え付けられた第二のメンブレンであるメンブレン１０２の襞１０２ｂに上記メンブレン１０１の襞１０１ｂを押圧して嵌め込む襞押圧手段である襞押圧装置４０と、上記メンブレン１０１の平板部１０１ｃを引っ張って当該メンブレン１０１と上記メンブレン１０２との上記襞１０１ｂ，１０２ｂの肌合わせをする平板部引張手段である平板部引張装置５０と、上記メンブレン１０１の平板部１０１ｃを押圧して当該メンブレン１０１と上記メンブレン１０２との上記平板部１０２ｃの肌合わせをする平板部押圧手段である平板部押圧装置６０とが所定の位置にそれぞれ設けられており、これら各装置２０，３０，４０，５０，６０は、それぞれ以下のような構造となっている。
【００１２】
［襞把持装置２０］
襞把持装置２０は、図１，２に示すように、フレーム１１に取り付けられた支持枠２１と、当該支持枠２１に支持されたガイドシャフト２２と、当該ガイドシャフト２２に沿って摺動移動できるように当該ガイドシャフト２２に設けられた対をなす把持アーム２３と、上記支持枠２１に回転可能に支持されて一方の把持アーム２３に右ねじで螺合すると共に他方の把持アーム２３に左ねじで螺合する送りねじ軸２４と、当該送りねじ軸２４の基端に設けられた回転ハンドル２５とを備えてなっている。
【００１３】
つまり、回転ハンドル２５を回して送りねじ軸２４を回転させることにより、対をなす把持アーム２３をガイドシャフト２２に沿って互いに接近離反させて、当該把持アーム２３の先端側でメンブレン１０１の襞１０１ｂを着脱可能に把持することができるようになっているのである。なお、図１中、左側の襞把持装置２０は、メンブレン１０１の短手方向に沿った方向の襞１０１ｂを把持できるように配設され、右側の襞把持装置２０は、メンブレン１０１の長手方向に沿った方向の襞１０１ｂを把持できるように配設されている。
【００１４】
［アンカ把持装置３０］
アンカ把持装置３０は、図１，３に示すように、フレーム１１に取り付けられた支持板３１と、当該支持板３１上に取り付けられて伸縮可能なパンタグラフ型のジャッキ３２と、当該ジャッキ３２に取り付けられたねじ軸３３と、当該ねじ軸３３の先端に設けられたアンカ掴み部３４とを備えてなっている。
【００１５】
つまり、ジャッキ３２を縮めることにより、ねじ軸３３を介してアンカ掴み部３４でメンブレン１０１のアンカ部１０１ｄを押し付けることができるようになっているのである。
【００１６】
［襞押圧装置４０］
襞押圧装置４０は、図１，４，５に示すように、フレーム１１に取り付けられた支持板４１と、当該支持板４１に取り付けられて伸縮可能なパンタグラフ型のジャッキ４２と、当該ジャッキ４２に取り付けられた凹型をなす樹脂製の襞係合具４３とを備えてなっている。
【００１７】
つまり、ジャッキ４２を伸ばすことにより、襞係合具４３の溝４３ａをメンブレン１０１の襞１０１ｂに嵌め込んで当該襞１０１ｂを押圧することができるようになっているのである。
【００１８】
［平板部引張装置５０］
平板部引張装置５０は、図１，６，７に示すように、フレーム１１に取り付けられた支持板５１と、当該支持板５１に螺合して支持されたねじ軸５２と、当該ねじ軸５２の軸心方向に沿って摺動移動できるように上記支持板５１に嵌合するガイドシャフト５３と、当該ガイドシャフト５３と上記ねじ軸５２との先端に取り付けられた取付ブロック５４と、当該取付ブロック５４に基端を取り付けられた支持棒５５と、当該支持棒５５の先端に取り付けられた吸盤５６と、上記支持棒５５の先端寄りに設けられて上記吸盤５６の脱着を行う脱着ハンドル５７と、上記ねじ軸５２の基端に設けられた回転ハンドル５８とを備えてなっている。
【００１９】
つまり、回転ハンドル５８を回してねじ軸５２を回転させることにより、取付ブロック５４、支持棒５５を介して吸盤５６をメンブレン１０１の平板部１０１ｃに対して接近離反させることができ、脱着ハンドル５７を操作することにより、上記吸盤５６を上記平板部１０１ｃに吸着させたり当該平板部１０１ｃから離脱させたりすることができるようになっているのである。
【００２０】
［平板部押圧装置６０］
平板部押圧装置６０は、図１，８〜１０に示すように、フレーム１１に取り付けられた支持板６１と、当該支持板６１に取り付けられて伸縮可能なパンタグラフ型のジャッキ６２と、当該ジャッキ６２で支持された支持ビーム６３と、当該支持ビーム６３に所定の間隔で複数配備されて回転自在なローラ６４と、当該ローラ６４の回転軸６４ａに連結されたハンドル６５とを備えてなっている。
【００２１】
つまり、ジャッキ６２を伸ばすことにより、支持ビーム６３を介して各ローラ６４をメンブレン１０１の平板部１０１ｃに押圧することができ、前記ハンドル６５を操作することにより、ローラ６４を回転させることができるようになっているのである。
【００２２】
このようなメンブレン据付装置を用いたメンブレン据付工法を図１１〜２９を用いて次に説明する。なお、図１１〜２９は、その手順説明図である。
【００２３】
工場で製作したメンブレン１０１をコンテナに複数（６枚）横置きにして詰め、図１１に示すように、当該コンテナ１１０をトレーラ１１１にトラッククレーン１１２で複数（２段）積載して現場に搬送する。
【００２４】
現場まで搬送したら、図１２に示すように、コンテナ１１０をトラッククレーン１１２でタンク１の屋根８の開口部８ａからタンク１の内部に搬入する。
【００２５】
図１３に示すように、タンク１の底部１ａ上に配設した仮受台１１３上にコンテナ１１０を一旦仮置きしたら、当該コンテナ１１０を搬送装置１１５で吊り上げて搬送する。
【００２６】
図１４に示すように、搬送したコンテナ１１０を据付位置近傍の枕木１１４上に載置したら、コンテナ１１０を開梱する。
【００２７】
続いて、図１５に示すように、上述したメンブレン据付装置１０のフレーム１１を上記搬送装置１１５で支持し、当該据付装置１０の前記襞把持装置２０とコンテナ１１０内のメンブレン１０１の襞１０１ｂとを対向させるように当該据付装置１０をコンテナ１１０上に搬送したら、図１６に示すように、当該据付装置１０を徐々に降下させ、当該据付装置１０の上記襞把持装置２０でメンブレン１０１の襞１０１ｂを把持し（図１７参照）、当該襞把持装置２０の締付状況を確認した後、図１８に示すように、搬送装置１１５を作動して当該据付装置１０を吊り上げる。
【００２８】
上記据付装置１０を吊り上げたら、図１９に示すように、搬送装置１１５をタンク１内壁面の所定の据付位置まで移動させて、図２０に示すように、上記据付装置１０を降下させ、タンク１の内壁面に沿って走行移動可能な二方向ホイストのフック１１６ａを当該据付装置１０のフレーム１１のタンク１壁面側のアイプレート１２に引っ掛けると共に、当該フレーム１１の他方側のアイプレート１２に電動のフォークリフト（５トン用）１１７のフック１１７ａを引っ掛け、当該据付装置１０を上記フック１１６ａ，１１７ａで完全に支持した後、当該据付装置１０を搬送装置１１５から外す（図２１参照）。
【００２９】
次に、図２２に示すように、上記据付装置１０をタンク１の内壁面に衝突させないように上記フォークリフト１１７を操作しながら上記ホイスト１１６のフック１１６ａを巻き上げて、当該据付装置１０を垂下させ、フォークリフト１１７のフック１１７ａを当該据付装置１０の前記アイプレート１２から外したら、当該据付装置１０に作業者が載り上ると共に、当該据付装置１０に支持されたメンブレン１０１をタンク１の内壁面の所定の据付位置に配向させるように前記ホイスト１１６を操作する（図２３参照）。
【００３０】
このようにしてメンブレン１０１を所定の据付位置に配向したら、上記据付装置１０の前記アンカ把持装置３０を前述したように操作し、メンブレン１０１のアンカ部１０１ｄを押し付けて当該メンブレン１０１を所定の位置に位置決めしてセンタ基準を合わせた後、メンブレン１０１を仮止め溶接する。
【００３１】
続いて、図２４に示すように、上記据付装置１０の前記襞押圧装置４０のジャッキ４０を伸ばすことにより、襞係合具４３の溝４３ａをメンブレン１０１の襞１０１ｂに嵌め込んで当該襞１０１ｂを押圧し、先に据え付けてあるメンブレン１０２の襞１０２ｂに上記襞１０１ｂを押し込む（五箇所）。
【００３２】
次に、上記据付装置１０の前記平板部引張装置５０の回転ハンドル５８を操作して吸盤５６をメンブレン１０１の平板部１０１ｃに当接させ、脱着ハンドル５７を操作して上記吸盤５６を上記平板部１０１ｃに吸着させたら、前記回転ハンドル５８を操作し、吸盤５６を介して上記平板部１０１ｃを引っ張ることにより、メンブレン１０１の襞１０１ｂとメンブレン１０２の襞１０２ｂとの突端部の肌合わせを行いながら当該メンブレン１０１の襞１０１ｂと当該メンブレン１０２の襞１０２ｂとの突端部をすべて（五箇所）仮止め溶接する（図２５，２６参照）。
【００３３】
このようにして上記襞１０１ｂ，１０２ｂの突端部を仮止め溶接したら、前記平板部引張装置５０を操作して前記吸盤５６による吸着からメンブレン１０１の平板部１０１ｃを開放（図２７参照）した後、図２８に示すように、治具１１８で襞１０１ｂ，１０２ｂの平面部の肌合わせを行いながら、当該襞１０１ｂ，１０２ｂを仮止め溶接する。
【００３４】
続いて、上記据付装置１０の前記平板部押圧装置６０のジャッキ６２を伸ばして各ローラ６４をメンブレン１０１の平板部１０１ｃに押圧し、前記ハンドル６５を操作して上記各ローラ６４を回転させることにより、メンブレン１０１の平板部１０１ｃとメンブレン１０２の平板部１０２ｃとの肌合わせを行い（図２９参照）、当該平板部１０１ｃ，１０２ｃの仮止め溶接を行うことにより、当該メンブレン１０１の据え付けを終える。
【００３５】
したがって、上述したような襞１０１ｂ，１０２ｂを有するメンブレン１０１，１０２同士を確実に溶接接合して据え付けることができるので、前述した従来技術で述べたメンブレン２０１，２０２を用いる場合よりも溶接箇所が少なくなり、作業効率を大幅に向上させることができ、コストを大幅に低減することができる。
【００３６】
【発明の効果】
本発明のメンブレン据付装置およびメンブレン据付工法によれば、凹状の襞を有するメンブレンであっても、確実に溶接接合して据え付けることができるので、従来のメンブレンを用いる場合よりも溶接箇所を少なくすることができ、作業効率を大幅に向上させてコストを大幅に低減することができる。
【図面の簡単な説明】
【図１】本発明によるメンブレン据付装置の実施の形態の全体概略構造を表す平面図である。
【図２】図１のＩＩ−ＩＩ線断面矢視図である。
【図３】図１の  ＩＩＩ−ＩＩＩ  線断面矢視図である。
【図４】図１のＩＶ−ＩＶ線断面矢視図である。
【図５】図４の矢線Ｖ方向からみた側面図である。
【図６】図１のＶＩ−ＶＩ線断面矢視図である。
【図７】図６の矢線ＶＩＩ部の抽出拡大図である。
【図８】図１のＶＩＩＩ−ＶＩＩＩ線断面矢視図である。
【図９】図８の矢線ＩＸ部の抽出拡大図である。
【図１０】図８の矢線Ｘ方向からみた側面図である。
【図１１】本発明によるメンブレン据付工法の作業手順の説明図である。
【図１２】図１１に続く作業手順の説明図である。
【図１３】図１２に続く作業手順の説明図である。
【図１４】図１３に続く作業手順の説明図である。
【図１５】図１４に続く作業手順の説明図である。
【図１６】図１５に続く作業手順の説明図である。
【図１７】図１６に続く作業手順の説明図である。
【図１８】図１７に続く作業手順の説明図である。
【図１９】図１８に続く作業手順の説明図である。
【図２０】図１９に続く作業手順の説明図である。
【図２１】図２０に続く作業手順の説明図である。
【図２２】図２１に続く作業手順の説明図である。
【図２３】図２２に続く作業手順の説明図である。
【図２４】図２３に続く作業手順の説明図である。
【図２５】図２４に続く作業手順の説明図である。
【図２６】図２５に続く作業手順の説明図である。
【図２７】図２６に続く作業手順の説明図である。
【図２８】図２７に続く作業手順の説明図である。
【図２９】図２８に続く作業手順の説明図である。
【図３０】本発明によるメンブレン据付装置およびメンブレン据付工法を適用するメンブレンの概略構造図である。
【図３１】図３０のメンブレンの配列状態の説明図である。
【図３２】図３０のメンブレンの接合状態の説明図である。
【図３３】図３０のメンブレンの襞を重ね合わせた場合の状態説明図である。
【図３４】従来のメンブレンの概略構造図である。
【図３５】従来のメンブレンの据付工法の説明図である。
【図３６】従来のメンブレンの襞の成形方法の説明図である。
【図３７】従来のメンブレンの折曲部の突端部がずれた場合の修正方法説明図である。
【符号の説明】
１０  メンブレン据付装置
１１  フレーム
１２  アイプレート
２０  襞把持装置
２１  支持枠
２２  ガイドシャフト
２３  把持アーム
２４  送りねじ軸
２５  回転ハンドル
３０  アンカ把持装置
３１  支持板
３２  ジャッキ
３３  ねじ軸
３４  アンカ掴み部
４０  襞押圧装置
４１  支持板
４２  ジャッキ
４３  襞係合具
５０  平板部引張装置
５１  支持板
５２  ねじ軸
５３  ガイドシャフト
５４  取付ブロック
５５  支持棒
５６  吸盤
５７  脱着ハンドル
５８  回転ハンドル
６０  平板部押圧装置
６１  支持板
６２  ジャッキ
６３  支持ビーム
６４  ローラ
６５  ハンドル
１０１，１０２  メンブレン
１０１ａ，１０２ｂ  単位メンブレン
１０１ｂ，１０２ｂ  襞
１０１ｃ，１０２ｃ  平板部
１０１ｄ，１０２ｄ  アンカ部
【図１】
0003572160.tif 000002
【図２】
0003572160.tif 000003
【図３】
0003572160.tif 000004
【図４】
0003572160.tif 000005
【図５】
0003572160.tif 000006
【図６】
0003572160.tif 000007
【図７】
0003572160.tif 000008
【図８】
0003572160.tif 000009
【図９】
0003572160.tif 000010
【図１０】
0003572160.tif 000011
【図１１】
0003572160.tif 000012
【図１２】
0003572160.tif 000013
【図１３】
0003572160.tif 000014
【図１４】
0003572160.tif 000015
【図１５】
0003572160.tif 000016
【図１６】
0003572160.tif 000017
【図１７】
0003572160.tif 000018
【図１８】
0003572160.tif 000019
【図１９】
0003572160.tif 000020
【図２０】
0003572160.tif 000021
【図２１】
0003572160.tif 000022
【図２２】
0003572160.tif 000023
【図２３】
0003572160.tif 000024
【図２４】
0003572160.tif 000025
【図２５】
0003572160.tif 000026
【図２６】
0003572160.tif 000027
【図２７】
0003572160.tif 000028
【図２８】
0003572160.tif 000029
【図２９】
0003572160.tif 000030
【図３０】
0003572160.tif 000031
【図３１】
0003572160.tif 000032
【図３２】
0003572160.tif 000033
【図３３】
0003572160.tif 000034
【図３４】
0003572160.tif 000035
【図３５】
0003572160.tif 000036
【図３６】
0003572160.tif 000037
【図３７】
0003572160.tif 000038